(57)【要約】【課題】モジュラジャックに容易に電線を接続することができる露出型モジュラジャック装置を提供する。【解決手段】モジュラジャック１を係止固定する係止部が設けられたベース２並びにベース２に結合するカバーからなりモジュラジャック１を収納するケースを備える。ベース２には、係止部の係止を解除する方向にモジュラジャック１を移動させる取外し操作部２６が設けられる。取外し操作部２６を操作してモジュラジャック１をベース２から取り外すことにより、モジュラジャック１に容易に電線を接続することができる。【選択図】        図１
2004165099.tif 000002
【特許請求の範囲】
【請求項１】
モジュラプラグが差込接続されるプラグ接続部並びに電線が接続される電線接続部が設けられたモジュラジャックと、前記モジュラジャックを係止固定する係止部が設けられたベース並びに前記ベースに結合するカバーからなり前記モジュラジャックを収納するケースとを備え、前記係止部の係止を解除する方向に前記モジュラジャックを移動させる取外し操作部を前記ベースに設けたことを特徴とする露出型モジュラジャック装置。
【請求項２】
前記係止部は前記モジュラジャックの着脱方向に交差する方向に弾性的に突出して前記モジュラジャックに係止する突起からなり、前記モジュラジャックが前記取外し操作部によって移動する方向に沿って突出寸法を大きくする傾斜面を前記係止部の前記モジュラジャックに当接する面に設けたことを特徴とする請求項１記載の露出型モジュラジャック装置。
【請求項３】
前記係止部を係止解除方向に操作する係止操作部を前記係止部に設けたことを特徴とする請求項１記載の露出型モジュラジャック装置。
【発明の詳細な説明】
【０００１】
【発明の属する技術分野】
本発明は、モジュラジャックをケースに収納した露出型モジュラジャック装置に関するものである。
【０００２】
【従来の技術】
従来から、この種の露出型モジュラジャック装置として、図７（ａ）に示すように、モジュラプラグが指し込み接続されるプラグ接続部１１並びに電線が接続される電線接続部１２が設けられたモジュラジャック１と、モジュラジャック１が固定されるベース２とを備えるものがある（例えば、特許文献１参照）。ベース２には、モジュラジャック１の電線接続部１２に接続された電線のがたつきを抑えるための電線支持片２１が突設されている。
【０００３】
図７（ｂ）に示すように、ベース２には、図示しない取付ねじが挿通する取付ねじ穴２２が貫設されるとともに、モジュラジャック１が固定される面の反対面側（以下、「下面側」と呼ぶ）にはマグネット３が設けられている。ベース２は、壁面や机等の取付面に下面側を向けて取付ねじの螺合やマグネット３の吸着によって取付面上に固定される。
【０００４】
また、ベース２の上面側には、モジュラジャック１を収納するケースをベース２とともに構成するカバー（図示せず）が結合される。
【０００５】
【特許文献１】
特開平６−２９０８２８号公報（第４−５頁、第１図）
【０００６】
【発明が解決しようとする課題】
ところで、この種の露出型モジュラジャック装置は、モジュラジャック１がベース２に装着された状態で出荷される。また、従来の露出型モジュラジャック装置においては、ベース２に一旦装着したモジュラジャック１を取り外すことは考慮されていなかった。従って、モジュラジャック１がベース２に装着された状態で図８の矢印Ａ１で示すように電線接続部１２に電線を接続することになるが、このときベース２の電線支持片２１など、電線の姿勢を安定させるためにベース２に設けられる凸部が作業の邪魔になっていた。
【０００７】
本発明は上記事由に鑑みてなされたものであり、その目的は、モジュラジャックに容易に電線を接続することができる露出型モジュラジャック装置を提供することにある。
【０００８】
【課題を解決するための手段】
請求項１の発明は、モジュラプラグが差込接続されるプラグ接続部並びに電線が接続される電線接続部が設けられたモジュラジャックと、前記モジュラジャックを係止固定する係止部が設けられたベース並びに前記ベースに結合するカバーからなり前記モジュラジャックを収納するケースとを備え、前記係止部の係止を解除する方向に前記モジュラジャックを移動させる取外し操作部を前記ベースに設けたことを特徴とする。
【０００９】
請求項２の発明は、請求項１記載の発明において、前記係止部は前記モジュラジャックの着脱方向に交差する方向に弾性的に突出して前記モジュラジャックに係止する突起からなり、前記モジュラジャックが前記取外し操作部によって移動する方向に沿って突出寸法を大きくする傾斜面を前記係止部の前記モジュラジャックに当接する面に設けたことを特徴とする。
【００１０】
請求項３の発明は、請求項１記載の発明において、前記係止部を係止解除方向に操作する係止操作部を前記係止部に設けたことを特徴とする。
【００１１】
【発明の実施の形態】
以下、本発明の実施の形態を図面に基づいて説明する。
【００１２】
本実施形態は、図２に示すように、モジュラプラグが差込接続されるプラグ接続部１１並びに電線が接続される電線接続部１２が設けられたモジュラジャック１と、モジュラジャック１が固定されるベース２並びにベース２に結合するカバー４からなりモジュラジャック１を収納するケースとを備える。また、モジュラジャック１の電線接続部１２に電線が接続された後には、電線の脱落を防ぐために、電線をベース２に固定する張力止め金具５がタッピンねじ６によってベース２の上面に固定される。以下、図２における方向に従って説明する。
【００１３】
ベース２の上面には、ベース２とカバー４とが結合されたときにプラグ接続部１１を露出させるプラグ挿入口２８ａ（図１参照）が設けられた枠状部２８が立設されている。枠状部２８には、上下にスライド可能な板状の部材からなりプラグ挿入口２８ａを開閉する扉体２９が設けられている。
【００１４】
カバー４は矩形状の天板４１の周縁から周壁４２が垂設された形状であって、上方からの投影の形状がベース２と同じ形状となっている。周壁４２のうち枠状部２８に対応する位置と、モジュラジャック１の電線接続部１２に接続された電線を引き出す位置とには切欠き４２ａが設けられている。
【００１５】
ベース２の上面の両側部には係合突起２３が突設されている。係合突起２３には係合穴２３ａが設けられていて、カバー４の周壁の内側に設けられた図示しない突起が係合穴２３ａに係合することによってベース２とカバー３とが結合される。
【００１６】
また、図３に示すように、ベース２の上面側には、モジュラプラグの挿抜方向とモジュラジャック１の着脱方向とに交差する方向においてモジュラジャック１を挟みそれぞれモジュラジャック１から離れる方向に撓み可能な２個の撓み片２４が突設されている。各撓み片２４のモジュラジャック１に近い側の面にはそれぞれ突起である係止部２５が突設されている。つまり、係止部２５はモジュラジャック１の着脱方向に交差する方向に弾性的に突出している。モジュラジャック１の両側部には係止溝１３が設けられており、各係止部２５がそれぞれ係止溝１３に引っ掛かることによってモジュラジャック１はベース２に係止固定されている。
【００１７】
また、図４に示すように、ベース２の前後方向と左右方向とにおける中間部には、ベース２を壁面等にねじ止めするための取付ねじが挿通される取付ねじ穴２２が上下に貫設されている。さらに、ベース２の下面側にはベース２を机等に吸着させるためのマグネット３が設けられている。
【００１８】
また、ベース２においてモジュラジャック１が係止される位置の下側には、コ字状のスリット２６ａにより部分的にベース２から分離されて上下に撓み可能とされた取外し操作部２６が設けられている。
【００１９】
図１（ａ）に示すようにベース２に係止固定されたモジュラジャック１の電線接続部１２に電線を接続する際には、図１（ｂ）に矢印Ａ２で示すようにベース２の下面側から取外し操作部２６を押して撓ませる。するとモジュラジャック１が上方へ移動して係止部２５の係止が外れ、モジュラジャック１を取り外すことができる。次にモジュラジャック１を外し、電線を電線接続部１２に接続してから、再びモジュラジャック１をベース２に装着する。
【００２０】
上記構成によれば、取外し操作部２６を操作してモジュラジャック１をベース２から取り外すことによりモジュラジャック１に容易に電線を接続することができる。
【００２１】
なお、図５に示すように、モジュラジャック１が取外し操作部２６によって移動する方向Ａ３（図５における上下方向）に沿って突出寸法を大きくする傾斜面２５ａを係止部２５のモジュラジャック１に当接する面（図５における下面）に設けてもよい。この構成を採用すれば、取外し操作部２６を操作してモジュラジャック１を取り外す際に、傾斜面２５ａがモジュラジャック１に当接して係止部２５がガイドされることにより、傾斜面２５ａが設けられていない場合に比べて容易に係止部２５の係止が解除されるから、より小さな力で取外し操作部２６を操作することができる。
【００２２】
また、図６に示すように、指で操作できる程度の長さＬだけ撓み片２４から延長されモジュラジャック１よりも上方に突出した係止操作部２７を設けてもよい。モジュラジャック１を取り外すには、矢印Ａ４で示すように係止操作部２７を操作して撓み片２４を撓ませ係止部２５の係止を解除しながら、取外し操作部２６を矢印Ａ５で示すように操作する。この構成を採用すれば、係止部２５の係止を解除するための力を取外し操作部２６の操作に必要としないから、取外し操作部２６の操作に必要な力が小さくなり、モジュラジャック１の取外しがより容易になる。
【００２３】
【発明の効果】
請求項１の発明は、モジュラプラグが差込接続されるプラグ接続部並びに電線が接続される電線接続部が設けられたモジュラジャックと、前記モジュラジャックを係止固定する係止部が設けられたベース並びに前記ベースに結合するカバーからなり前記モジュラジャックを収納するケースとを備え、前記係止部の係止を解除する方向に前記モジュラジャックを移動させる取外し操作部を前記ベースに設けたので、取外し操作部を操作してモジュラジャックをベースから取り外すことによりモジュラジャックに容易に電線を接続することができる。
【００２４】
請求項２の発明は、請求項１記載の発明において、前記係止部は前記モジュラジャックの着脱方向に交差する方向に弾性的に突出して前記モジュラジャックに係止する突起からなり、前記モジュラジャックが前記取外し操作部によって移動する方向に沿って突出寸法を大きくする傾斜面を前記係止部の前記モジュラジャックに当接する面に設けたので、取外し操作部を操作してモジュラジャックを取り外す際に傾斜面がモジュラジャックに当接して係止部がガイドされることにより係止部の係止が容易に解除されるから、傾斜面が設けられていない場合に比べ小さな力で取外し操作部を操作することができる。
【００２５】
請求項３の発明は、請求項１記載の発明において、前記係止部を係止解除方向に操作する係止操作部を前記係止部に設けたので、係止操作部を操作して係止部の係止を解除しながら取外し操作部を操作することにより、係止部の係止を解除するための力を取外し操作部の操作に必要としないから、係止操作部が設けられていない場合に比べて取外し操作部をより小さな力で操作することができる。
【図面の簡単な説明】
【図１】本発明の実施形態を示す動作説明図である。
【図２】同上を示す分解斜視図である。
【図３】同上の要部を示す断面図である。
【図４】同上を示す下面図である。
【図５】同上の別の形態の要部を示す断面図である。
【図６】同上のさらに別の形態の要部を示す断面図である。
【図７】従来例においてカバーを外した状態を示す図であり、（ａ）は平面図、（ｂ）は下面図である。
【図８】同上においてカバーを外した状態を示す断面図である。
【符号の説明】
１  モジュラジャック
２  ベース
４  カバー
１１  プラグ接続部
１２  電線接続部
２４  撓み片
２５  係止部
２５ａ  傾斜面
２６  取外し操作部
２７  係止操作部
【図１】
2004165099.tif 000003
【図２】
2004165099.tif 000004
【図３】
2004165099.tif 000005
【図４】
2004165099.tif 000006
【図５】
2004165099.tif 000007
【図６】
2004165099.tif 000008
【図７】
2004165099.tif 000009
【図８】
2004165099.tif 000010